(57)【要約】【課題】作業者の負担を軽減しながら、ファスナー開閉時の作業性を向上させることができるファスナー開閉装置を提供する。【解決手段】ファスナー開閉装置３０は、ファスナー２０の一対のテープ２１ａ，２１ｂの一方に長手方向に沿って固定される剛性を有する支持部材３１と、支持部材３１の両端近傍に亘って無端状に掛け渡される紐部材３２と、を備える。紐部材３２は、ファスナー２０のスライダー２３に連結され、支持部材３１の両端の間でスライダー２３のスライド方向に移動可能に設けられる。【選択図】図２
2016047106.tif 000002
【特許請求の範囲】
【請求項１】
一対のテープと、該一対のテープのそれぞれの一側に長手方向に沿って設けられたエレメントと、該エレメントに沿ってスライドすることで該エレメントを互いに噛み合わせ又は該エレメントの噛み合いを解除するスライダーとを備えたファスナーを開閉するためのファスナー開閉装置であって、
前記一対のテープの一方に前記長手方向に沿って固定される剛性を有する支持部材と、該支持部材の両端近傍に亘って無端状に掛け渡される紐部材と、を備え、
前記紐部材は、前記スライダーに連結され、前記支持部材の両端の間で前記スライダーのスライド方向に移動可能に設けられることを特徴とするファスナー開閉装置。
【発明の詳細な説明】
【技術分野】
【０００１】
本発明は、ファスナー開閉装置に関する。
【背景技術】
【０００２】
野菜や花卉などの農作物の栽培に用いられる温室や栽培棚では、害虫が侵入して繁殖すると、農作物に対する悪影響が懸念される。農薬の使用量を減少させ、農作物の品質及び生産性を向上させるためには、害虫の侵入を未然に防止することが望ましい。そのため、温室の出入口や栽培棚の周囲に防虫ネットが設置される場合があるが、温室への出入りや栽培棚の農作物の手入れのために、防虫ネットに開閉部を設ける必要がある。
【０００３】
従来から、野菜、花卉などの栽培に用いられる防虫ネットハウスの出入口の防虫ネットとして、防虫ネットの略中央に縦方向のスライドファスナーを設けて左右両開きとし、左右それぞれの部分の下縁に鉛ロープを取り付けたものが知られている（例えば、下記特許文献１参照）。特許文献１では、出入口の防虫ネットが鉛ロープの重さにより下方に引き下げられ、鉛ロープは柔軟なので出入口の地面に多少の凹凸があってもその形状に追随して変形し、出入口を完全に密閉して害虫の侵入を防止し得るとしている。
【先行技術文献】
【特許文献】
【０００４】
【特許文献１】特開２００７−２４４３２６号公報
【発明の概要】
【発明が解決しようとする課題】
【０００５】
特許文献１に記載の防虫ネットは、縦方向のファスナーを閉じたときに、ファスナーを開閉するスライダーが地面の近くに位置している。そのため、ファスナーを開閉する者は、スライダーを上下させるために、その都度、屈み込む必要がある。温室への出入りや栽培棚の農作物の手入れで防虫ネットを開閉する度に、屈み込んで立ち上がる動作を繰り返すことは、農業や園芸作業の従事者に無要な労力を強いるものであり、ファスナー開閉時の作業性向上が望まれている。
【０００６】
本発明は、前記課題に鑑みてなされたものであり、ファスナー開閉時の作業性を向上することができるファスナー開閉装置を提供することを目的とする。
【課題を解決するための手段】
【０００７】
前記目的を達成すべく、本発明のファスナー開閉装置は、一対のテープと、該一対のテープのそれぞれの一側に長手方向に沿って設けられたエレメントと、該エレメントに沿ってスライドすることで該エレメントを互いに噛み合わせ又は該エレメントの噛み合いを解除するスライダーとを備えたファスナーを開閉するためのファスナー開閉装置であって、前記一対のテープの一方に前記長手方向に沿って固定される剛性を有する支持部材と、該支持部材の両端近傍に亘って無端状に掛け渡される紐部材と、を備え、前記紐部材は、前記スライダーに連結され、前記支持部材の両端の間で前記スライダーのスライド方向に移動可能に設けられることを特徴とする。
【０００８】
本発明のファスナー開閉装置を、例えば、防虫ネットに設けられた縦方向のファスナーの開閉に用いる場合には、ファスナーの一対のテープの一方に、剛性を有する支持部材を、テープの長手方向に沿って固定する。これにより、一対のテープの一方は、上端から下端に亘って支持部材に支持される。支持部材には、上下の両端近傍に亘って紐部材が無端状に掛け渡されており、該紐部材は、ファスナーのスライダーに連結されている。
【０００９】
そのため、紐部材の上下方向の任意の位置を把持して上下に引くことで、紐部材は支持部材の両端の間で上下に移動し、紐部材に連結されたスライダーが上下にスライドする。そのスライドにより、エレメントが互いに噛み合い、又はエレメントの噛み合いが解除され、ファスナーは開閉する。したがって、本発明のファスナー開閉装置を用い、縦方向に設置されたファスナーを開閉する者は、屈み込むことなく立った姿勢で紐部材を把持し、ファスナーを開閉することができる。また、ファスナーが支持部材によって支持されることで、スライダーを上方にスライドさせてファスナーを開く際に、ファスナーが設けられた防虫ネット等の可撓性を有するシート材の下端がまくれ上がるのを防止することができる。
【発明の効果】
【００１０】
以上の説明から理解できるように、本発明のファスナー開閉装置によれば、作業者の負担を軽減しながら、ファスナー開閉時の作業性を向上させることができる。
【図面の簡単な説明】
【００１１】
【図１ａ】本発明の実施形態１に係るファスナー開閉装置の適用例を示す斜視図。
【図１ｂ】本発明の実施形態１に係るファスナー開閉装置の適用例を示す斜視図。
【図２】（ａ）は、図１ａ、図１ｂに示すファスナー開閉装置の正面図、（ｂ）は、（ａ）のｂ−ｂ線に沿う断面図。
【図３】（ａ）は、本発明の実施形態２に係るファスナー開閉装置の正面図、（ｂ）は、（ａ）のｂ−ｂ線に沿う断面図。
【図４】（ａ）から（ｃ）は、本発明の実施形態に係るファスナー開閉装置の支持部材の例を示す断面図。
【発明を実施するための形態】
【００１２】
以下、図面を参照して本発明のファスナー開閉装置の実施形態について詳細に説明する。
【００１３】
［実施形態１］
図１ａ及び図１ｂは、本発明の実施形態１に係るファスナー開閉装置３０の適用例を示す斜視図である。図１ａは、農業又は園芸従事者が中に入って作業を行うビニールハウス等の農業用又は園芸用の温室１００の斜視図であり、図１ｂは、野菜や花卉を栽培する栽培棚２００の斜視図である。
【００１４】
温室１００の出入口１０１には、防虫ネット１０が設置されている。栽培棚２００の周囲は、防虫ネット１０によって覆われている。防虫ネット１０は、温室１００内や栽培棚２００に害虫が侵入して繁殖するのを防止して、害虫が野菜や花卉などに悪影響を及ぼすのを防止すると共に、農薬の使用量を減少させ、野菜や花卉の品質及び生産性を向上させるために使用される。防虫ネット１０には、温室１００への出入りや栽培棚２００の農作物等の手入れのために、開閉部１１が設けられている。
【００１５】
防虫ネット１０の開閉部１１には、ファスナー２０が設けられている。図１ｂの防虫ネット１０に取り付けたファスナー２０を例として示すように、ファスナー２０は、一対のテープ２１ａ，２１ｂと、該一対のテープのそれぞれの一側に長手方向に沿って設けられたエレメント２２ａ，２２ｂと、該エレメント２２ａ，２２ｂに沿ってスライドするスライダー２３と、を備えている。テープ２１ａ，２１ｂは、可撓性を有する細長い帯状の部材であり、例えば、ポリエステルテープ、合繊テープ、綿テープ等が用いられる。エレメント２２ａ，２２ｂ及びスライダー２３は、例えば、金属又は樹脂によって製作されている。
【００１６】
スライダー２３は、エレメント２２ａ，２２ｂに沿ってスライドすることで、エレメント２２ａ，２２ｂを互いに噛み合わせ、又は、エレメント２２ａ，２２ｂの噛み合いを解除してファスナー２０を開閉する。すなわち、スライダー２３をテープ２１ａ，２１ｂの長手方向に沿って一方向にスライドさせて一対のテープ２１ａ，２１ｂに設けられたエレメント２２ａ，２２ｂを互いに噛み合わせることで、一対のテープ２１ａ，２１ｂ間が閉じられてファスナー２０が閉じる。また、スライダー２３をテープ２１ａ，２１ｂの長手方向に沿って反対方向にスライドさせてエレメントの噛み合いを解除することで、一対のテープ２１ａ，２１ｂ間が開いてファスナー２０が開く。
【００１７】
防虫ネット１０の開閉部１１は、例えば、縦方向に分断されて互いに横方向に隣接する防虫ネットの左部分１２と右部分１３によって設けられている。防虫ネット１０の左部分１２の右側の縁部１２ａに沿って、ファスナー２０の一対のテープ２１ａ，２１ｂのうちの一方のテープ２１ａが固定され、防虫ネット１０の右部分１３の左側の縁部１３ａに沿って、ファスナー２０の一対のテープ２１ａ，２１ｂのうちの他方のテープ２１ｂが固定されている。また、分断された防虫ネット１０の左右の部分１２，１３の一方の縁部、本実施形態では、左部分１２の右側の縁部１２ａには、エレメント２２ａよりも内側、すなわちエレメント２２ａよりも左側にファスナー開閉装置３０が固定されている。
【００１８】
図２（ａ）は、図２（ｂ）のａ−ａ線に沿って一部を切断したファスナー開閉装置３０の拡大正面図である。図２（ｂ）は、図２（ａ）に示すｂ−ｂ線に沿うファスナー開閉装置３０の縦断面図である。
【００１９】
本実施形態のファスナー開閉装置３０は、ファスナー２０を開閉するための装置であって、一対のテープ２１ａ，２１ｂの一方に長手方向に沿って固定される剛性を有する支持部材３１と、支持部材３１の両端近傍に亘って無端状に掛け渡される紐部材３２と、を備えている。
【００２０】
支持部材３１は、例えば、幅４０ｍｍ、高さ１８００ｍｍ、厚さ３ｍｍのアクリル製の平板によって製作されている。支持部材３１は、防虫ネット１０の左部分１２の右側の縁部１２ａにテープ２１ａを介して固定されたエレメント２２ａよりも左側の位置に、テープ２１ａの長手方向に沿って固定されている。
【００２１】
支持部材３１を防虫ネット１０に対して固定する方法は、特に限定されないが、例えば、支持部材３１に複数の貫通孔を設け、支持部材３１を防虫ネット１０に縫い付けることができる。また、支持部材３１を、防虫ネット１０に接着剤、熱溶着等によって接合してもよい。また、防虫ネット１０及びファスナー２０のテープ２１ａの縁を、それぞれ支持部材３１の幅方向の一端と他端に挟み込み、又はインサート成形によって連結してもよい。また、支持部材３１は、下端に土台を設けて自立式にしてもよく、温室１００や栽培棚２００の支柱や骨組みに固定してもよい。
【００２２】
支持部材３１は、上下方向の両端近傍に亘って紐部材３２を掛け渡す上下の滑車部３３，３４を備えている。滑車部３３，３４は、それぞれ、支持部材３１に対して垂直に立設された回転軸３３ａ，３４ａと、回転軸に回転自在に設けられた滑車３３ｂ，３４ｂと、支持部材３１との間で滑車３３ｂ，３４ｂを挟持する側板３３ｃ，３４ｃとを有している。
【００２３】
回転軸３３ａ，３４ａは、それぞれ支持部材３１の上下方向の両端近傍でかつファスナー２０のエレメント２２ａ，２２ｂの上端及び下端の近傍に設けられている。なお、上側の滑車部３３の回転軸３３ａの高さ位置は、エレメント２２ａ，２２ｂの上端の高さ位置と等しいかそれよりも高い位置であることが好ましい。また、下側の滑車部３４の回転軸３４ａの位置は、エレメント２２ａ，２２ｂの下端の高さ位置と等しいかそれよりも低い位置であることが好ましい。
【００２４】
滑車３３ｂ，３４ｂの外周面には、紐部材３２が滑車３３ｂ，３４ｂから脱落するのを防止する溝または凹部が設けられていることが好ましい。また、滑車３３ｂ，３４ｂは回転軸に対する回転抵抗を減らすベアリングを備えていてもよい。
【００２５】
側板３３ｃ，３４ｃは、回転軸３３ａ，３４ａの支持部材３１に連結された基部と反対側の先端部に連結されて、滑車３３ｂ，３４ｂが回転軸３３ａ，３４ａから脱落したり、滑車３３ｂ，３４ｂから紐部材３２が脱落したりすることを防止している。なお、側板３３ｃ，３４ｃの幅方向両側と、支持部材３１との間に保護板を設け、滑車３３ｂ，３４ｂの周囲を覆うようにしてもよい。これにより、滑車３３ｂ，３４ｂを保護すると共に、滑車３３ｂ，３４ｂから紐部材３２が脱落するのをより確実に防止できる。
【００２６】
紐部材３２は、例えば、金属製のワイヤーロープ、ナイロン等の合成繊維、木綿、麻等の天然繊維の紐又はロープ等によって製作され、両端が接続されて上下の滑車３３ｂ，３４ｂに無端状に掛け渡されている。また、紐部材３２は、連結部材３２ａによってファスナー２０のスライダー２３に連結されている。これにより、紐部材３２は、支持部材３１の上下両端の間でスライダー２３のスライド方向に移動可能に設けられている。
【００２７】
連結部材３２ａは、紐部材３２に固定されると共に、ファスナー２０のスライダー２３に連結されることで、紐部材３２とスライダー２３とを連結している。連結部材３２ａは、例えば、金属又は樹脂によって製作され、金属の場合は、例えば、紐部材３２にかしめ固定され、樹脂の場合は、例えば、熱溶着によって、紐部材３２に固定することができる。あるいは、紐部材３２に連結部材３２ａを係合させる係合部材を固定し、連結部材３２ａを紐部材３２の係合部材とファスナー２０のスライダー２３に係合させるようにしてもよい。
【００２８】
次に、本実施形態のファスナー開閉装置３０の作用について説明する。
【００２９】
図１ａに示す温室１００の出入口１０１に出入りする際や、図１ｂに示す栽培棚２００の野菜や花卉の手入れをする際には、温室１００の出入口１０１に設置された防虫ネット１０や、栽培棚２００の周囲に配置された防虫ネット１０の開閉部１１を開閉する必要がある。防虫ネット１０の開閉部１１には、縦方向にファスナー２０が設けられているため、ファスナー２０が閉じられた状態でスライダー２３がファスナー２０の下端の地面近くに位置することになる。そのため、従来は、農業や園芸に従事する作業者が、温室１００への出入りや栽培棚２００の農作物等の手入れで防虫ネット１０を開閉する度に、ファスナー２０の開閉のために屈み込み、立ち上がる動作を繰り返す必要があった。
【００３０】
ここで、本実施形態のファスナー開閉装置３０は、図２（ａ）及び（ｂ）に示すように、ファスナー２０の一対のテープ２１ａ，２１ｂの一方に長手方向に沿って固定される剛性を有する支持部材３１と、支持部材３１の両端近傍に亘って無端状に掛け渡される紐部材３２と、を備えている。そして、紐部材３２は、スライダー２３に連結され、支持部材３１の両端の間でスライダー２３のスライド方向に移動可能に設けられている。
【００３１】
そのため、支持部材３１に掛け渡された紐部材３２のファスナー２０から遠い方を下方に引くか、又は、ファスナー２０に近い方の紐部材３２を上方に引くことで、ファスナー２０に近い方の紐部材３２がスライダー２３の移動方向に沿って上方へ移動する。これにより、連結部材３２ａを介して紐部材３２に連結されたファスナー２０のスライダー２３が下方から上方へ移動し、ファスナー２０のエレメント２２ａ，２２ｂの噛み合いが解除され、ファスナー２０が開く。
【００３２】
一方、ファスナー２０から遠い方の紐部材３２を上方に引くか、又は、ファスナー２０に近い方の紐部材３２を下方に引くと、ファスナー２０に近い方の紐部材３２がスライダー２３の移動方向に沿って下方へ移動する。これにより、連結部材３２ａを介して紐部材３２に連結されたファスナー２０のスライダー２３が上方から下方へ移動し、ファスナー２０のエレメント２２ａ，２２ｂが互いに噛み合い、ファスナー２０が閉じる。
【００３３】
以上の操作において、作業者は、スライダー２３を把持するために屈み込む必要はなく、立った状態で紐部材３２を把持して下方に引くだけでよい。したがって、本実施形態のファスナー開閉装置３０によれば、ファスナー２０開閉時の作業性を向上させることができ、農作業、園芸作業に従事する作業者の負担を軽減することができる。
【００３４】
また、剛性を有する支持部材３１によってファスナー２０の一対のテープ２１ａ，２１ｂの一方が、長手方向の全長に亘って支持されるため、ファスナー２０の開閉時にファスナー２０が撓むことが防止され、スライダー２３をスムーズにスライドさせることができる。これにより、防虫ネット１０がファスナー２０の開閉時にまくれ上がることが防止される。なお、支持部材３１がない場合には、スライダー２３がスムーズにスライドせず、防虫ネット１０がファスナー２０の開閉時にまくれ上がるだけで、ファスナー２０を開くのが困難になる。
【００３５】
また、支持部材３１は、限定されないが、例えば、幅４０ｍｍ、高さ１８００ｍｍ、厚さ３ｍｍのアクリル製の平板によって製作されている。これにより、他の材質と比較して安価で適度な弾力性が得られ、他の部材や作業者との干渉時の安全性を向上させることができる。
【００３６】
また、支持部材３１に滑車部３３，３４を設けることで、紐部材３２をスムーズに移動させることができ、ファスナー２０の開閉を容易にすることができる。また、上側の滑車部３３の回転軸３３ａの高さ位置をエレメント２２ａ，２２ｂの上端の高さ位置と等しいかそれよりも高い位置に設けることで、スライダー２３をエレメント２２ａ，２２ｂの上端まで確実に移動させることができる。同様に、下側の滑車部３４の回転軸３４ａの位置をエレメント２２ａ，２２ｂの下端の高さ位置と等しいかそれよりも低い位置に設けることで、スライダー２３をエレメント２２ａ，２２ｂの下端まで確実に移動させることができる。
【００３７】
以上説明したように、本実施形態のファスナー開閉装置３０によれば、作業者の負担を軽減しながら、ファスナー２０開閉時の作業性を向上させることができる。
【００３８】
なお、本実施形態では、ファスナー開閉装置３０を防虫ネット１０の外側に設ける場合について説明したが、図１ａに示す温室１００のように、作業者が防虫ネット１０の内側と外側を出入りする場合には、防虫ネット１０の内側にも同様のファスナー開閉装置３０を設置することができる。
【００３９】
［実施形態２］
図３（ａ）は、本発明の実施形態２に係るファスナー開閉装置３０Ａの正面図である。図３（ｂ）は、図３（ａ）のｂ−ｂ線に沿うファスナー開閉装置３０Ａの縦断面図である。
【００４０】
本実施形態のファスナー開閉装置３０Ａは、支持部材３１の長手方向の両端近傍に滑車部３３，３４を有さず、貫通孔３１ａ，３１ｂが設けられている点で、前述の実施形態１で説明したファスナー開閉装置３０と異なっている。本実施形態のファスナー開閉装置３０Ａのその他の点は、実施形態１のファスナー開閉装置３０と同一であるので、同一の部分には同一の符号を付して、説明は省略する。
【００４１】
支持部材３１の長手方向の両端近傍には、貫通孔３１ａ，３１ｂが設けられている。上下の貫通孔３１ａ，３１ｂには、例えば金属製のハトメ３５が配置されてかしめによって固定され、無端状の紐部材３２が挿通されている。これにより、紐部材３２は、支持部材３１の両端近傍に亘って貫通孔３１ａ，３１ｂに無端状に掛け渡され、支持部材３１の両端の間でスライダー２３のスライド方向に移動可能に設けられている。
【００４２】
これにより、作業者は、防虫ネット１０の外側で、立った状態で紐部材３２を把持して上方に引くことで、紐部材３２がスライダー２３のスライド方向に沿って上方に移動し、連結部材３２ａを介してスライダー２３が上方にスライドし、ファスナー２０が開く。また、作業者が紐部材３２を下方に引くことで、ファスナー２０が閉じる。一方、防虫ネット１０の内側では、作業者が紐部材３２を下方に引くことでファスナー２０が開き、作業者が紐部材３２を上方に引くことでファスナー２０が閉じる。
【００４３】
したがって、本実施形態のファスナー開閉装置３０Ａによれば、実施形態１のファスナー開閉装置３０よりも簡単な構成で同様の効果を得られるだけでなく、防虫ネット１０の内側と外側で、同様にファスナー２０を開閉することができる。なお、本実施形態のファスナー開閉装置３０Ａは、防虫ネット１０の外側と内側で逆の配置としてもよい。
【００４４】
［支持部材の変形例］
図４（ａ）から（ｃ）は、支持部材３１の変形例を示す横断面図である。
【００４５】
支持部材３１の材質および形状は、前述の実施形態で説明したアクリル製の平板に限られない。支持部材３１は、例えば、アルミニウム又はアルミニウム合金製であってもよい。この場合、支持部材３１の寸法および断面形状は、例えば、幅５０ｍｍ、高さ１８０ｍｍ、厚さ１．５ｍｍで、図４（ａ）に示すリブ付のＬ型の断面形状を採用することができる。これにより、支持部材３１は、その他の金属材料と比較して軽量で、前述のアクリル製の平板と比較して高い剛性が得られ、例えば、高さ２ｍ以上の比較的高さ寸法が大きいファスナー開閉装置に適用することができる。また、支持部材３１の断面形状は、図４（ｂ）に示すＨ型の断面形状や、図４（ｃ）に示すチャネル型の断面形状であってもよい。このような断面形状によって、支持部材３１の剛性をより高くすることができる。
【００４６】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【００４７】
例えば、前述の実施形態では、ファスナー開閉装置が防虫ネットのファスナーを開閉する場合について説明した。しかし、本発明のファスナー開閉装置は、防虫ネットのファスナーの開閉に限られず、日除けシート、ビニールシート、テント等、可撓性を有するシート材に設けられたファスナーの開閉に好適である。
【符号の説明】
【００４８】
２０  ファスナー
２１ａ，２１ｂ  テープ
２２ａ，２２ｂ  エレメント
２３  スライダー
３０，３０Ａ  ファスナー開閉装置
３１  支持部材
３２  紐部材
【図１ａ】
2016047106.tif 000003
【図１ｂ】
2016047106.tif 000004
【図２】
2016047106.tif 000005
【図３】
2016047106.tif 000006
【図４】
2016047106.tif 000007